(57)【要約】【課題】エンドレスベルト基体と保持治具との密着性を良好に保持することが可能で、かつ、エンドレスベルト基体の保持治具への着脱が容易な保持治具を使用することにより、均一な膜厚の電子写真感光体を製造することができる方法を提供する。【解決手段】エンドレスベルト基体を内側から円筒形保持治具で保持して前記エンドレスベルト基体の外表面にスプレー塗布を行う電子写真感光体の製造方法であって、前記円筒形保持治具が軸方向に少なくとも１つの切り目または隙間により分割した少なくとも１つの一方端からエンドレスベルト基体を装着した後に元の位置に戻してエンドレスベルト基体を保持する。【選択図】図１
2007225794.tif 000002
【特許請求の範囲】
【請求項１】
エンドレスベルト基体を内側から円筒形状の保持治具にて保持し、前記エンドレスベルト基体の外側表面にスプレー塗布を行う電子写真感光体の製造方法であって、
その軸方向に少なくとも１つの切り目または隙間により前記保持治具を分割する分割工程と、
分割された前記保持治具のうち少なくとも一方の端部から前記エンドレスベルト基体を装着する装着工程とを有し、
前記装着工程の後に前記エンドレスベルト基体を装着していない他方の前記保持治具を分割前の位置に戻して一体化し、前記エンドレスベルト基体を保持することを特徴とする電子写真感光体の製造方法。
【請求項２】
エンドレスベルト基体を内側から円筒形状の保持治具にて保持し、前記エンドレスベルト基体の外側表面にスプレー塗布を行う電子写真感光体の製造方法であって、
前記保持治具に前記エンドレスベルト基体を装着する際、前記保持治具は冷却して装着されることを特徴とする電子写真感光体の製造方法。
【請求項３】
前記エンドレスベルト基体は、樹脂で構成されることを特徴とする請求項１または２記載の電子写真感光体の製造方法。
【請求項４】
前記エンドレスベルト基体は、シームレスベルトであることを特徴とする請求項１または２記載の電子写真感光体の製造方法。
【請求項５】
エンドレスベルト基体を内側から保持する円筒形状の保持治具であって、
前記保持治具の軸方向に少なくとも１つの切り目または隙間により前記保持治具を分割する分割手段を有し、
前記保持治具は、前記分割手段によって小分割部分と大分割部分とに分割され、
前記小分割部分は、
前記保持治具の厚さ方向に、２つの分割線にて分割された左右対称の分割面を有し、
前記小分割部分の外周の長さが、前記保持治具の外周の１／８乃至１／４であり、かつ、前記小分割部分の内周の長さが前記外周の長さより長いことを特徴とする保持治具。
【請求項６】
前記小分割部分は、内周側にスプリングを有するか、または、前記保持治具の分割部分のうち少なくとも１つが弾性体で構成されたことを特徴とする請求項５記載の保持治具。
【請求項７】
エンドレスベルト基体を内側から保持する円筒形状の保持治具であって、
前記保持治具の内壁と外壁との間に通水可能な空間を有する二重構造の管で構成されたことを特徴とする保持治具。
【請求項８】
前記保持治具は、アルミニウムで構成されたことを特徴とする請求項５記載の保持治具。
【請求項９】
前記保持治具の外径の長さは、前記エンドレスベルト基体の内径の長さと等しいことを特徴とする請求項５または６記載の保持治具。
【請求項１０】
請求項５から９のいずれか１項記載の保持治具を備えた電子写真感光体。
【請求項１１】
請求項１０記載の電子写真感光体を有する画像形成装置。
【発明の詳細な説明】
【技術分野】
【０００１】
本発明は、複写機やプリンタ等に用いる電子写真感光体の製造方法、保持治具、電子写真感光体および画像形成装置に関し、より詳細には、エンドレスベルト基体を内側から円筒形保持治具で保持してエンドレスベルト基体の外表面にスプレー塗布を行う電子写真感光体の製造方法、保持治具、電子写真感光体および画像形成装置に関する。
【背景技術】
【０００２】
従来、電子写真感光体の基体として円筒形ドラム基体やエンドレスベルト基体が使用され、そして、これら基体に感光層を塗布する方法として、浸漬塗布法やスプレー塗布法が用いられている。小サイズの基体に大量に塗布するには浸漬塗布法が適しており、大サイズのドラムやベルトへの塗布には大量の液を要しないスプレー塗布法が適している。しかしながらスプレー塗布法は、特有の様々な膜厚ムラを生じやすい。
【０００３】
前記したエンドレスベルト基体にスプレー塗布を行う時のエンドレスベルト基体の保持方法としては、エンドレスベルト基体の内側から円筒形保持治具により保持するのが一般的である。図４に、このような一般的なスプレー塗布装置の概略図を示す。この図４中において、円筒形の保持治具１は、回転伝達軸２と連結フランジ３とで結合されて水平に保持されるようになっている。また、この円筒形状の保持治具１の保持位置から離れた位置に、回転伝達軸２と平行に駆動軸４が設けられ、さらにこの駆動軸４に台座５を介してスプレーガン６が取り付けられ、回転伝達軸２と平行に移動できるように設置されている。エンドレスベルト状の基材７は保持治具１の外周に嵌着されており、この保持治具１を回転させつつスプレーガン６から感光層の形成材料をスプレーし、台座５を駆動軸４に沿って１回以上移動させることによって塗装を行うようになっている。
【０００４】
しかし、一般的なスプレー装置でエンドレスベルト基体に感光材を塗布したとき、エンドレスベルト基体と円筒形保持時具との間の僅かな隙間によって、エンドレスベルト基体の周方向に膜厚ムラが発生してしまう。エンドレスベルト基体を円筒形保持時具に装着する際、エンドレスベルト基体と円筒形の保持治具とを完全に密着させるのは容易ではなく、密着している箇所と密着しないで隙間となる箇所とができてしまい、それが塗布後の塗布膜の膜厚に影響を与え、膜厚ムラを生じさせている。エンドレスベルト基体の内径と円筒形保持治具の外径を同一寸法にしても装着が困難であり、また、装着を容易にするためにエンドレスベルト基体の内径を円筒形保持治具の外径より大きめにすると、エンドレスベルト基体と円筒形保持治具との間に隙間が生じるのは避けられない。このような問題に対する対策として、たとえば特許文献１には、エンドレスベルト基体と保持治具を全領域で密着させないようにする保持治具が提案されている。
【特許文献１】実用新案登録第２５４１８４４号公報
【発明の開示】
【発明が解決しようとする課題】
【０００５】
しかしながら、長さの長い基体、大口径の基体、または剛性の小さい基体の場合には部分的に密着してしまう可能性が高く、いかなる条件で行っても全領域を密着させないようにすることは困難である。
【０００６】
本発明は、上記事情に鑑みてなされたもので、保持治具の一方に切り目または隙間により分割して、分割した一方の端部からエンドレスベルト基体を装着後に分割した保持治具を再度一体化して、エンドレスベルト基体を保持する電子写真感光体の製造方法、保持治具、電子写真感光体および画像形成装置を提供することを目的としている。
【課題を解決するための手段】
【０００７】
上記の目的を達成するため、請求項１に記載の発明は、エンドレスベルト基体を内側から円筒形状の保持治具にて保持し、エンドレスベルト基体の外側表面にスプレー塗布を行う電子写真感光体の製造方法であって、その軸方向に少なくとも１つの切り目または隙間により保持治具を分割する分割工程と、分割された保持治具のうち少なくとも一方の端部からエンドレスベルト基体を装着する装着工程とを有し、装着工程の後にエンドレスベルト基体を装着していない他方の保持治具を分割前の位置に戻して一体化し、エンドレスベルト基体を保持することを特徴とする。
【０００８】
請求項２に記載の発明は、エンドレスベルト基体を内側から円筒形状の保持治具にて保持し、エンドレスベルト基体の外側表面にスプレー塗布を行う電子写真感光体の製造方法であって、保持治具にエンドレスベルト基体を装着する際、保持治具は冷却して装着されることを特徴とする。
【０００９】
請求項３に記載の発明は、請求項１または２記載の電子写真感光体の製造方法において、エンドレスベルト基体は、樹脂で構成されることを特徴とする。
【００１０】
請求項４に記載の発明は、請求項１または２記載の電子写真感光体の製造方法において、エンドレスベルト基体は、シームレスベルトであることを特徴とする。
【００１１】
請求項５に記載の発明は、エンドレスベルト基体を内側から保持する円筒形状の保持治具であって、保持治具の軸方向に少なくとも１つの切り目または隙間により保持治具を分割する分割手段を有し、保持治具は、分割手段によって小分割部分と大分割部分とに分割され、小分割部分は、保持治具の厚さ方向に、２つの分割線にて分割された左右対称の分割面を有し、小分割部分の外周の長さが、保持治具の外周の１／８乃至１／４であり、かつ、小分割部分の内周の長さが外周の長さより長いことを特徴とする。
【００１２】
請求項６に記載の発明は、請求項５記載の保持治具において、小分割部分は、内周側にスプリングを有するか、または、保持治具の分割部分のうち少なくとも１つが弾性体で構成されたことを特徴とする。
【００１３】
請求項７に記載の発明は、エンドレスベルト基体を内側から保持する円筒形状の保持治具であって、保持治具の内壁と外壁との間に通水可能な空間を有する二重構造の管で構成されたことを特徴とする。
【００１４】
請求項８に記載の発明は、請求項５記載の保持治具において、保持治具は、アルミニウムで構成されたことを特徴とする。
【００１５】
請求項９に記載の発明は、請求項５または６記載の保持治具において、保持治具の外径の長さは、エンドレスベルト基体の内径の長さと等しいことを特徴とする。
【００１６】
請求項１０に記載の発明は、請求項５から９のいずれか１項記載の保持治具を備えた電子写真感光体であることを特徴とする。
【００１７】
請求項１１に記載の発明は、請求項１０記載の電子写真感光体を有する画像形成装置であることを特徴とする。
【発明の効果】
【００１８】
このように、本発明の電子写真感光体の製造方法、保持治具、電子写真感光体および画像形成装置によれば、保持治具の一方に切り目または隙間により分割して、分割した一方の端部からエンドレスベルト基体を装着後に分割した保持治具を再度一体化して、エンドレスベルト基体を保持することができる。
【発明を実施するための最良の形態】
【００１９】
本実施形態の電子写真感光体の製造方法、保持治具、電子写真感光体および画像形成装置では、エンドレスベルト基体上にスプレー塗布により均一な塗膜を形成することができる電子写真感光体の製造方法を提供すること、より詳細にはエンドレスベルト基体とエンドレスベルト基体の保持治具との密着性を良好に保持することが可能で、かつ、エンドレスベルト基体の保持治具への着脱が容易な保持治具を使用することにより、均一な膜厚の電子写真感光体を製造することができる方法を提供することを目的としている。
【００２０】
以下、図面を参照して、本実施形態の電子写真感光体の製造方法およびエンドレスベルト基体の保持治具について、実施形態により詳細に説明する。
【００２１】
本実施形態は、エンドレスベルト基体を内側から円筒形保持治具で保持してエンドレスベルト基体の外表面にスプレー塗布を行って電子写真感光体を製造する方法であって、エンドレスベルト基体と円筒形保持治具との密着性を高め、それにより塗布むらのない膜厚の均一な電子写真感光体を製造するための２つの方法を提供するものである。
【００２２】
このうちの一つは、前記円筒形保持治具が軸方向で二つに分割され、分割された一方にエンドレスベルト基体を装着し、装着後、分割されたもう一方を元（分割前）の位置に戻してエンドレスベルト基体を保持することによりスプレー塗布を行う製造方法である。
【００２３】
図１、図２は電子写真感光体の製造方法に使用する円筒形の保持治具８の概略構成を示す断面図であり、エンドレスベルト基体を前記円筒形の保持治具８に装着する時の状態を断面図で示したものである。
【００２４】
この保持治具８は二つの部分、すなわち、円筒形の保持治具８の小分割部分８Ａと、大分割部分８Ｂとからなる。図中、７はエンドレスベルト基体であり、８Ａは小分割部分である。そして、この小分割部分８Ａは、円筒形の保持治具８の厚さ方向の略同形状における二つの分割線９，９’で分割された略左右対称の分割面１０，１０’を有している。そして、この小分割部分８Ａの外周の長さ（線分ａｂ）は、前記円筒形の外周の１／８ないし１／４で、かつ、内周の長さ（線分ｃｄ）は、前記外周より長い形状であり、丸カッコの片方、すなわち「（」のような円弧形状を有している。
【００２５】
図１は、小分割部分８Ａを大分割部分８Ｂから分離して大分割部分８Ｂにエンドレスベルト基体を装着した状態を示す図である。また、図２は、小分割部分８Ａを大分割部分８Ｂと一体化させ、エンドレスベルト基体７が円筒形の保持治具上に密着した状態を示す図である。図１に示すように、大分割部分８Ｂに装着されたエンドレスベルト基体７は、図２に示すように小分割部分８Ａと大分割部分８Ｂとが一体化されると、下から押し上げられるような状態になる。このようにして、エンドレスベルト状の基体７が円筒形の保持治具８における小分割部分８Ａおよび大分割部分８Ｂ上と密着して装着される。
【００２６】
エンドレスベルト状の基体７と円筒形の保持治具８の小分割部分８Ａおよび大分割部分８Ｂとが完全に密着するように、円筒形の保持治具８における小分割部分８Ａおよび大分割部分８Ｂの外径を、エンドレスベルト状の基体７の内径と等しい寸法とすることが好ましい。ただし、この寸法で小分割部分８Ａと大分割部分８Ｂが一体となった状態では、エンドレスベルト状の基体７を小分割部分８Ａおよび大分割部分８Ｂ上に装着することは困難であり、小分割部分８Ａを円筒の内側に移動した状態、つまり、大分割部分８Ｂのみの状態にしてエンドレスベルト状の基体７を大分割部分８Ｂに装着後、小分割部分８Ａを再び大分割部分８Ｂと一体化させる。このようにしてエンドレスベルト状の基体７を小分割部分８Ａおよび大分割部分８Ｂとからなる円筒上に密着させれば、完全に近い連続体となった円筒上にエンドレスベルト基体を装着した場合と同様に装着することができる。
【００２７】
円筒形の保持治具８の材質は、加工しやすく寸法精度が良いアルミニウムが好ましい。
また、小分割部分８Ａと大分割部分８Ｂとを分離したり一体化したりするための手段としては、小分割部分８Ａの内側にスプリングあるいは弾性体などを取り付けることが好ましい。この態様の一つとしてスプリングあるいは弾性体は、図４中の回転伝達軸２に固定され、解除機構により解除された時に小分割部分８Ａを外側に押し付ける。小分割部分８Ａは内側に移動されると、図４中の連結フランジ３の段差に固定される。
【００２８】
また例えば、本実施形態の保持治具（円筒形保持治具）８としては、切り目あるいは裂け目を１以上有する円筒体であってもよく、またはさらに、この切り目あるいは裂け目を１以上有する円筒体と弾性体とからなる構造体としてもよく、さらに保持治具８として、切り目あるいは裂け目を１以上有する円筒体とこの円筒体の内部に円筒体が円筒形状を保持するようにする円筒保持部材とからなる構成としてもよい。
【００２９】
すなわち、本実施形態は、エンドレスベルト基体を内側から円筒形保持治具で保持してこのエンドレスベルト基体の外表面にスプレー塗布を行う電子写真感光体の製造方法であって、この円筒形保持治具が軸方向に少なくとも１つの切り目または隙間により円筒形保持治具の軸方向の端部の少なくとも１つを切り目または隙間により分割した一方端からエンドレスベルト基体を装着した後に元の位置に戻してエンドレスベルト基体を保持することを特徴とする電子写真感光体の製造方法であってもよい。
【００３０】
このような切り目あるいは裂け目を１以上有する円筒体としては、図６に示すように、１以上の切り目（間隙）を設けた円筒体構造とすることができる。この場合には、図１および図５に示すように、２分割とする分割構造に示すように円筒体の軸方向の両端部まで切り目を２ついれて、小分割部分と大分割部分との２つに分割するような分割構造とすることができる。
【００３１】
あるいは、図６または図７に示すように、円筒形保持治具の柱部（円筒形保持治具の柱部における円筒の軸方向）に、切り目あるいは裂け目を１以上形成し、好ましくは円筒形保持治具の円筒の軸の方向の一端の少なくとも１つの切り目あるいは裂け目はその端部まで形成する。
【００３２】
このように、円筒の軸方向の一端の少なくとも１つの切り目あるいは裂け目が設けられた円筒形保持治具は、例えば図１および図５に示す小分割部分と大分割部分の２つに分割した場合には、その小径部分を円筒形保持治具から分離して形成することができる。この分割には、公知の切削方法を用いて行うことができる。あるいは、例えば赤外レーザ光を照射することにより切断する方法を採用することもできる。また、切り目あるいは裂け目を形成する方法としては、分割の際に使用する前記した方法を採用することができる。
【００３３】
そして、本実施形態の円筒形の保持治具８が小分割部分８Ａと大分割部分８Ｂとの２つの分割部分からなる場合には、大分割部分８ＢはＣ字状となり、これ自体で縮径するように弾性体としての性質を有している。これに対し小分割部分８Ａは、前記の大分割部分８Ｂの縮径を押し広げる楔的な部分として作用する。したがって、分割した２つの分割部分を元の円筒形の形状に復する場合には、小分割部分８Ａを、Ｃ字状の大分割部分８ＢのＣ字の内部に設置した後、小分割部分８Ａを押圧して大分割部分８Ｂに挿入し、位置合わせを行う。この位置合わせの際に、切削したことによる目減り分は、小分割部分８Ａの固定位置の調整により調整することができる。
【００３４】
また仮に、真の円筒形状に保持治具８を復帰させる場合には、小分割部分８Ａの外面（外周線分ａｂ）を多少凸に設置した後、この小分割部分８Ａと大分割部分８Ｂとを一体化して保持治具８とした後、この円筒形の保持治具８を、軸２を回転させて円筒の形状を確認し、場合によっては切削あるいは研磨して、元の円筒形状の保持治具８としてもよい。
【００３５】
このように、小分割部分８Ａを大分割部分８Ｂに設定して元の円筒形の保持治具８に復帰させる際に、少なくとも小分割部分８Ａを冷却した後に、大分割部分８Ｂに設定するようにすることが好ましい。また本実施形態では、小分割部分８Ａと大分割部分８Ｂとを冷却して、元の円筒形の保持治具８に復帰するようにしてもよい。このような冷却は、以下に説明する範囲にした後、常温にして設定し、元の円筒形の保持治具８に復帰するようにしてもよい。
【００３６】
また、本実施形態では、図６または図７に示すように、保持治具として、切り目あるいは裂け目を１以上有する円筒体である場合には、少なくとも１つの切り目あるいは裂け目は円筒形の保持治具の一端まで切削されていることが好ましい。そして、もう一方である他端は、リング状あるいは円筒状になったままで、裂け目あるいは切り目が形成されていない。
【００３７】
このような少なくとも１つの切り目あるいは裂け目が一端まで形成されている円筒形の保持治具は、その一端側は少なくとも縮径する機能（すなわち弾性機能）を有するため、切り目あるいは裂け目を１以上有する円筒体とこの円筒体の内部に円筒体が円筒形状を保持するようにする円筒保持部材とからなる構成としてもよい。このような構成を採用した場合には、円筒体の一端側から、エンドレスベルト基体を円筒形の保持部材の他端までに装着した後に、例えば図８または図９に示すような円筒保持部材を円筒体の内部に包含している構成とすることができる。
【００３８】
このような円筒形の保持部材は、拡径部２１が切り目あるいは裂け目を１以上有する円筒体の円筒形状を保持するために、拡径しつつ弾性力で押圧されても円筒形状を保持するようになっている。図８（Ａ）のａは、拡径部２１を示すもので、ａの拡大図を図８の（Ｂ）に示す。この図８（Ｂ）に示すように、折り返し状の折り返し部２１ａとなっており、この折り返し部２１ａにおいて、少なくともその一部は、厚さが薄い構造を有している。そしてこの部分が他の部分に比較して構造的に弱い、換言すれば、弾性部２１ｅとなっている。
【００３９】
また、図９に示す構成では、円筒保持部材は、その軸方向に拡径部２１が複数設けられている構成となっている。なお、ここで述べる軸方向とは、円筒体保持治具の回転方向と直交する方向：換言すれば円筒体保持治具の軸方向は光でスキャンする方向であり、図９中にＢで示した方向である。この拡径部２１の前および後ろの少なくとも１つには、厚みの薄い部分が設けられている。そして、拡径部２１によって円筒体からの押圧が伝達され、これに対して前記した厚みの薄い部分の弾性力によって、制圧して円筒形状を保持するようになっている。
【００４０】
なお、本実施形態に使用される円筒形状の保持治具は、上述したように、それ自体が円筒形状を保持するような弾性体で構成されている。
【００４１】
本実施形態における電子写真感光体の製造方法の他の一例としては、円筒形保持治具にエンドレスベルト基体を装着する時、円筒形保持治具を冷却して装着し、装着後、円筒形保持治具を元の温度に戻してエンドレスベルト基体を保持することによりスプレー塗布を行う製造方法である。図３は、この製造方法の実施に用いる内壁と外壁との間に通水可能な二重の管で構成された保持治具である。
【００４２】
これは、円筒形保持治具１１の温度を変化させることにより装着、保持をする時の一例であり、円筒形保持治具１１の内壁１３と外壁１３’との間に温度をコントロールするための水が循環している。水は、図示しない温度コントロール装置により温度コントロールされる。円筒形保持治具１１の材質としてはアルミニウムが好ましい。
【００４３】
円筒形保持治具１１が冷却された後に、エンドレスベルト基体が装着される。基体の装着後、再び円筒形保持治具１１は常温（２０〜３０℃）に戻されて、エンドレスベルト基体と隙間なく密着されて保持される。円筒形保持治具の冷却温度は、５〜２０℃の範囲であり、これは、常温の温度範囲の例えば高温側では１０ｄｅｇ低く常温の温度の低温側では１５ｄｅｇ低い温度範囲である。またこの冷却温度は、より好ましくは１０〜１５℃の範囲であり、常温の温度の高温側では１５ｄｅｇ低く常温の温度の低温側では１０ｄｅｇ低い温度範囲である。
【００４４】
一方、本実施形態に用いられるエンドレスベルト基体としては、ニッケルシームレスベルト、ポリイミド、ポリカーボネート、ポリエチレンテレフタレート等に導電処理を行った樹脂製のシームレスベルト、またはアルミ蒸着等の導電処理を行ったポリエチレンテレフタレート等の樹脂ベルトの両端を超音波溶着等の方法で接合してエンドレスベルトにしたものなどが用いられる。
【００４５】
次に、上記した本実施形態における、円筒形保持治具を用いたスプレー塗布による電子写真感光体の製造方法について説明する。
【００４６】
電子写真感光体の感光層は、電荷発生層の上に電荷輸送層を設けた積層型が一般的である。電荷発生層は、例えばモノアゾ色素、ジスアゾ色素、トリスアゾ色素などのアゾ系色素、ペリレン酸無水物、ペリレン酸イミドなどのペリレン系色素、インジゴ、チオインジゴなどのインジゴ系色素、アンスラキノン、ピレンキノンおよびフラパンスロン類などの多環キノン類、キナクリドン系色素、ビスベンゾイミダゾール系色素、インダスロン系色素、スクエアリリウム系色素、金属フタロシアニン、無金属フタロシアニンなどのフタロシアニン系顔料、ピリリウム塩色素、チアピリリウム塩色素とポリカーボネートとから形成される共晶錯体等、公知各種の電荷発生物質（キャリア発生物質）を適当なバインダー樹脂と共に溶媒中に溶解あるいは分散し、塗布液とする。
【００４７】
電荷発生物質を樹脂中に分散させる方法としては、ボールミル分散法、アトライター分散法、サンドミル分散法などを用いることができる。この際、電荷発生物質は、体積平均粒径で５μｍ以下、好ましくは２μｍ以下、最適には０．５μｍ以下の粒子サイズにすることが有効である。本実施形態で用いる電荷発生層の膜厚は、一般的には０．１〜５μｍ、好ましくは０．２〜２μｍが適当である。
【００４８】
電荷輸送層は、電荷輸送物質を適当なバインダー中に含有させて形成される。電荷輸送物質としては、２，５−ビス（ｐ−ジエチルアミノフェニル）−１，３，４−オキサジアゾールなどのオキサジアゾール誘導体、１，３，５−トリフェニル−ピラゾリン、１−〔ピリジル−（２）〕−３−（ｐ−ジエチルアミノスチリル）−５−（ｐ−ジエチルアミノフェニル）ピラゾリンなどのピラゾリン誘導体、トリフェニルアミン、スチリルトリフェニルアミン、ジベンジルアニリンなどの芳香族、第３級アミノ化合物、Ｎ，Ｎ’−ジフェニル−Ｎ，Ｎ’−ビス（３−メチルフェニル）−１，１−ビフェニル−４，４’−ジアミンなどの芳香族第３級ジアミノ化合物、３−（４’−ジメチルアミノフェニル）−５，６−ジ−（４’−メトキシフェニル）−１，２，４−トリアジンなどの１，２，４−トリアジン誘導体、４−ジエチルアミノベンズアルデヒド−１，１−ジフェニルヒドラゾンなどのヒドラゾン誘導体、２−フェニル−４−スチリル−キナゾリンなどのキナゾリン誘導体、６−ヒドロキシ−２，３−ジ（ｐ−メトキシフェニル）−ベンゾフランなどのベンゾフラン誘導体、ｐ−（２，２−ジフェニルビニル）−Ｎ、Ｎ−ジフェニルアニリンなどのα−スチルベン誘導体、“Journal of Imaging Science”29:7〜10（1985）に記載されているエナミン誘導体、Ｎ−エチルカルバゾールなどのカルバゾール誘導体、ポリ−Ｎ−ビニルカルバゾールなどのポリ−Ｎ−ビニルカルバゾール及びその誘導体、ポリ−γ−カルバゾリルエチルグルタナート及びその誘導体、更にはピレン、ポリビニルピレン、ポリビニルアントラセン、ポリビニルアクリジン、ポリ−９−ビフェニルアントラセン、ピレン−ホルムアルデヒド樹脂、エチルカルバゾールホルムアルデヒド樹脂などの公知の電荷輸送物質を用いることができるが、これらに限定されるものではない。また、これらの電荷輸送物質は単独あるいは２種以上混合して用いることができる。
【００４９】
更に、電荷輸送層における結着樹脂としては、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセテート樹脂、ブチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂、ポリ−Ｎビニルカルバゾールなどの公知の樹脂を用いることができるが、これらに限定されるものではない。また、これらの結着樹脂は単独或いは２種以上混合して用いることができる。電荷輸送材料と結着樹脂との配合比（重量比）は１０：１〜１：５が好ましい。本実施形態で用いる電荷輸送層の膜厚は一般的には５〜５０μｍ、好ましくは１０〜３０μｍが適当である。
【００５０】
また、導電性支持体と電荷発生層との間に更に下引き層を設けることができるが、この下引き層は帯電時において、積層構造からなる感光層における導電性支持体から感光層への電荷の注入を阻止するとともに、感光層を導電性支持体に対して一体的に接着保持せしめる接着層としての作用、あるいは導電性支持体からの反射光の防止作用等を示す。
【００５１】
この下引き層に用いる樹脂は、ポリエチレン、ポリプロピレン、アクリル樹脂、メタクリル樹脂、ポリアミド樹脂、塩化ビニル樹脂、酢酸ビニル樹脂、フェノール樹脂、エポキシ樹脂、ポリエステル樹脂、アルキド樹脂、ポリカーボネート、ポリウレタン、ポリイミド樹脂、塩化ビニリデン樹脂、ポリビニルアセタール樹脂、塩化ビニル−酢酸ビニル共重合体、ポリビニルアルコール、水溶性ポリエステル、ニトロセルロース又はカゼイン、ゼラチンなど公知な樹脂を用いることができるが、これらに限定されるものではない。また、下引き層の厚みは０．０１〜１０μｍ、好ましくは０．３〜７μｍが適当である。
【００５２】
その他、本実施形態の電子写真感光体においては、保護層として上記電荷輸送層の上に電荷輸送物質と顔料を適当なバインダー中に含有させて形成される。顔料としては、アルミナ、酸化チタン等の無機顔料の他、有機顔料を使用しても良い。全固形分中の顔料の重量配合率は５〜３０％が好ましい。厚みは一般的には２〜１０μｍ、好ましくは４〜８μｍが適当である。なお、保護層は使用される複写機、プリンタなどによっては設ける必要がない場合もある。
【００５３】
以下、本実施形態による保持治具を用いて、エンドレスベルト基体上にスプレー塗布により下引き層や感光層を設けた場合の塗布例を、実施例や比較例などを用いて説明する。
【００５４】
［実施例１］
まず、以下のように塗布液を作製した。
【００５５】
＜下引き層塗工液の作製＞
以下の材料を溶解して下引き層塗布液を調合した。
メラミン樹脂  ５重量部
酸化チタン  ２０重量部
シクロヘキサノン  ３５重量部
メチルエチルケトン  ３５重量部
【００５６】
＜電荷発生層塗工液の作製＞
下記構造式で示される電荷発生剤  １重量部
【００５７】
【化１】
2007225794.tif 000003
ポリビニルブチラール  ０．５重量部
シクロヘキサノン  ４０重量部
メチルエチルケトン  ６０重量部
ボールミル分散後、シクロヘキサノンとメチルエチルケトンを加えて電荷発生層塗布液とした。
【００５８】
＜電荷輸送層塗工液の作製＞
下記構造式で示される電荷輸送剤  ４重量部
【００５９】
【化２】
2007225794.tif 000004
ポリカーボネート  ６重量部
シクロヘキサノン  ４５重量部
テトラヒドロフラン  ４５重量部
シリコンオイル  ０．００１重量部
以上を溶解して電荷輸送層塗布液を調合した。
【００６０】
次に、周長５２８ｍｍ、幅３７０ｍｍのニッケル製シームレスベルト基体と、この基体の内径と等しい外径のアルミニウム製の円筒形保持治具を用意した。円筒形保持治具は、図１、図２で示したように２つの部分に分離可能となっており、見込む角度６０度の小分割部分（円筒全周を３６０度とした場合、６０度の小分割部分）を内側に分離した状態でシームレスベルト基体を装着した。その後、内側に分離した小分割部分を元の位置にもどして一体化し、シームレスベルト基体と円筒形保持治具を密着させた。
【００６１】
基体を装着した保持治具を図４に示すようなスプレー塗布装置に設置し、まず前述した処方で調合した下引き層（ＵＬ）塗布液をスプレー塗布し、１１０℃で１５分間乾燥して、厚さ０．５μｍの下引き層を形成した。次に、その上に電荷発生層（ＣＧＬ）、電荷輸送層（ＣＴＬ）を逐次スプレー塗布・乾燥し積層感光体試料を作製した。
【００６２】
なお、電荷発生層は乾燥膜厚０．２μｍ、電荷輸送層は２３μｍになるような条件で行った。また、スプレーガンは明治機械製のノズル口径０．８ｍｍのガンを用い、エアー流量は２０〜３０Ｌ／ｍｉｎの範囲とした。送液にはシリンジポンプを用い、定量でノズルに送りこむ機構とした。
【００６３】
［実施例２］
基体として、ニッケルシームレスベルトの代わりに厚さ１００μｍのアルミ蒸着ＰＥＴフィルムを矩形に切断した後、両端を超音波溶着して同様の内径およびサイズのエンドレスベルトとしたものを用いた他は、実施例１と同様にしてスプレー塗布を行った。
【００６４】
［実施例３］
基体として、ニッケルシームレスベルトの代わりに同様の内径及びサイズのポリイミド製シームレスベルト用いた他は、実施例１と同様にしてスプレー塗布を行った。
【００６５】
［実施例４］
実施例１と同様のニッケル製シームレスベルト基体の内径と等しい外径を持つアルミ製円筒形保持治具を用意した。この保持治具は、図３に示すように二重の管で構成され、管の外壁１３と内壁１３’との間には水が循環して保持治具の温度を自由に制御できる構造となっている。室温を２５℃とし、保持治具の温度を１０℃にした状態でニッケルシームレスベルト基体を保持治具に装着した。次に、保持治具の温度を２５℃に戻して基体と保持治具を密着させた。次いで、実施例１と同様にしてスプレー塗布を行った。
【００６６】
［実施例５］
基体として、ニッケルシームレスベルトの代わりに厚さ１００μｍのアルミ蒸着ＰＥＴフィルムを矩形に切断した後、両端を超音波溶着して同様の内径及びサイズのエンドレスベルトとしたものを用いた他は、実施例４と同様にしてスプレー塗布を行った。
【００６７】
［実施例６］
基体として、ニッケルシームレスベルトの代わりに同様の内径及びサイズのポリイミド製シームレスベルト用いた他は、実施例４と同様にしてスプレー塗布を行った。
【００６８】
［比較例１］
実施例１と同様の基体を用い、保持治具の外径を基体の内径より小さくして装着を容易にして、実施例１と同様にしてスプレー塗布を行った。
【００６９】
［比較例２］
実施例２と同様の基体を用いた他は、比較例１と同様にしてスプレー塗布を行った。
【００７０】
［比較例３］
実施例３と同様の基体を用いた他は比較例１と同様にしてスプレー塗布を行った。
【００７１】
以上のようにして得られた電子写真感光体の膜厚分布を測定し、表１の結果を得た。測定値はＮ＝５０の平均値、最大値及び最小値をとった。
【００７２】
【表１】
2007225794.tif 000005
【００７３】
表１から、実施例ではいずれも膜厚のバラツキが±１μｍ以内であるのに対し、比較例ではいずれも大きくばらついていることが分かる。
【００７４】
以上、本実施形態の電子写真感光体の製造方法、保持治具、電子写真感光体および画像形成装置によれば、円筒形保持治具が軸方向で二つに分割され、分割された一方でエンドレスベルト基体を装着するので、円筒形保持治具の外径をエンドレスベルト基体の内径と同等程度までにしても、装着を容易に行うことができる。また、エンドレスベルト基体の装着後、分割されたもう一方を元に戻して一体化するので、エンドレスベルト基体が内側から押しあげるように装着され、エンドレスベルト基体と保持治具とを十分に密着させることができる。その結果、スプレー塗布により塗布むらのない膜厚の均一な電子写真感光体を製造することができる。
【００７５】
また、円筒形保持治具にエンドレスベルト基体を装着する時、円筒形保持治具を冷却して装着するので、円筒形保持治具が収縮し、円筒形保持治具の外径をエンドレスベルト基体の内径と同等程度までにしても装着が容易に行える。また、エンドレスベルト基体の装着後に元の温度に戻すので、エンドレスベルト基体と保持治具とを十分に密着させることができ、その結果、スプレー塗布により塗布むらのない膜厚の均一な電子写真感光体を製造することができる。
【００７６】
また、エンドレスベルト基体が樹脂製であることから、保持治具との密着性を高めることができ、より塗布むらのないスプレー塗布を行うことができる。
【００７７】
また、エンドレスベルト基体がシームレスベルトであることから、スプレー塗布により好適な製造を行うことができる。
【００７８】
さらに、円筒形の保持治具が小分割部分と大分割部分の二つに分割されるので、その小分割部分を内側に分離させて大分割部分のみにしてエンドレスベルト基体を装着させ、次いで小分割部分を大分割部分と一体化させることができる。したがって、円筒形保持治具の外径をエンドレスベルト基体の内径と同等程度までにしても、装着を容易に行えると共に、エンドレスベルト基体が内側から押しあげるように装着されるので、エンドレスベルト基体と保持治具との密着が良好となる。一方、装着のときと同様、大分割部分のみにしてエンドレスベルト基体を外せば保持治具から離脱させるのも容易である。
【００７９】
また、小分割部分の内周側にスプリングを有することで、小分割部分の分離と一体化とが容易に行える。また、小分割部分を円筒形の内側に分離して保持することも可能であり、エンドレスベルト基体の着脱も容易に行うことができる。
【００８０】
また、円筒形保持治具が通水可能な二重の管で構成されていることから、通水によって円筒形保持治具の冷却及び加温を行うことができ、該保持治具を冷却して収縮させて装着すれば、円筒形保持治具の外径をエンドレスベルト基体の内径と同等程度までにしても、装着を容易に行える。また、保持治具を加温して元の大きさに戻すので、エンドレスベルト基体と保持治具との密着が良好となる。一方、装着のときと同様、保持治具を冷却してエンドレスベルト基体を外せば保持治具から離脱させるのも容易である。
【００８１】
また、保持治具がアルミニウムで形成されることにより、加工しやすく、寸法精度の良い保持治具を提供することができる。
【００８２】
また、保持治具の外径がエンドレスベルト基体の内径と等しい長さであるので、エンドレスベルト基体との密着性をより向上させることができる。
【００８３】
本第１０の発明の電子写真感光体によれば、第５〜第９のいずれかの保持治具を有しているので前記した第５〜第９の発明のいずれかで得られる効果を有する電子写真感光体を提供することができる。
【００８４】
本第１１の発明の画像形成装置によれば、第１０の発明で得られる効果を有する画像形成装置を提供することができる。
【図面の簡単な説明】
【００８５】
【図１】本実施形態の円筒形状の保持治具の一つを示す概略断面図で、（Ａ）は、円筒形状の保持治具８の小分割部分８Ａを分離した状態を示し、（Ｂ）は、小分割部分８Ａの拡大図である。
【図２】図１の円筒形状の保持治具８の小分割部分８Ａと大分割部分８Ｂとを一体化して円筒形にした状態を示す概略断面図である。
【図３】本実施形態の円筒形状の保持治具の他の一例を示す概略断面図である。
【図４】従来の保持治具によりエンドレスベルトの基体にスプレー塗布を行うスプレー塗布装置の斜視図である。
【図５】本実施形態の円筒形状の保持治具の一つを示す概略断面図で、円筒形保持治具の小分割部分を分離した状態を示す図である。
【図６】１以上の切り目（間隙）を設けた円筒体構造の一例を示す図である。
【図７】１以上の切り目（間隙）を設けた円筒体構造の一例を示す図である。
【図８】（Ａ）は、本実施形態の円筒形状の保持治具に使用される円筒体の内部に包含される円筒保持部材の構成例を示す図であり、（Ｂ）は、（Ａ）のａの軸方向断面拡大図である。
【図９】（Ａ）は、本実施形態の円筒形状の保持治具に使用される円筒体の内部に包含される円筒保持部材の構成例を示す図であり、（Ｂ）は、（Ａ）のＡ−Ａ線の断面図であり、（Ｃ）は、（Ａ）のＢ−Ｂ線の断面図である。
【符号の説明】
【００８６】
１    （円筒形状の）保持治具
２    回転伝達軸
３    連結フランジ
４    駆動軸
５    台座
６    スプレーガン
７    エンドレスベルト基体
８    （円筒形状の）保持治具
８Ａ    円筒形状の保持治具の小分割部分
８Ｂ    円筒形状の保持治具の大分割部分
９、９’    分割線
１０、１０’    分割面
１１    通水可能な円筒形状の保持治具
１２    水が通る空間
１３    管の内壁
１３’    管の外壁
２１    拡径部
２１ａ    折り返し部
２１ｅ    弾性部
【図１】
2007225794.tif 000006
【図２】
2007225794.tif 000007
【図３】
2007225794.tif 000008
【図４】
2007225794.tif 000009
【図５】
2007225794.tif 000010
【図６】
2007225794.tif 000011
【図７】
2007225794.tif 000012
【図８】
2007225794.tif 000013
【図９】
2007225794.tif 000014